(57)【要約】【課題】収容状態と使用状態とに変更する際に手間がかからず、部品が紛失するおそれを減少できる物品ホルダーを提供する。【解決手段】ドリンクホルダー１０は、収容ケース２０と、蓋体３０と、収容ケース２０を固定体に固定する固定具４０とを有する。収容ケース２０は、蓋体３０を支持するための第１支持部２３と、固定具４０を支持するための第２支持部２４とを有する。蓋体３０は、底壁３１と、底壁３１の周縁から延出する周壁部３２とを有する。ドリンクホルダー１０の閉蓋状態において、収容ケース２０の内部に固定具４０が収容され、蓋体３０の周壁部３２に形成された第１係合部３４および第２係合部３５と第１支持部２３および第２支持部２４とがそれぞれ互いに係合される。ドリンクホルダー１０の開蓋状態において、蓋体３０を上下に反転させた状態で第１係合部３４を第１支持部２３に係合させることによって、蓋体３０には周壁部３２に囲まれた物品載置部３９が画成される。【選択図】図１１
2020006989.tif 000002
【特許請求の範囲】
【請求項１】
収容ケースと、蓋体と、前記収容ケースを固定体に固定する固定具とを有する物品ホルダーにおいて、
前記収容ケースは、前記蓋体を支持するための第１支持部と、前記固定具を支持するための第２支持部とを有し、
前記蓋体は、底壁と、前記底壁の周縁から延出する周壁部とを有し、
閉蓋状態において、前記収容ケースの内部に前記固定具が収容され、前記蓋体の前記周壁部に形成された第１係合部および第２係合部と前記第１支持部および前記第２支持部とがそれぞれ互いに係合され、
開蓋状態において、前記蓋体を上下に反転させた状態で前記第１係合部を前記第１支持部に係合させることによって、前記蓋体には前記周壁部に囲まれた物品載置部が画成されることを特徴とする物品ホルダー。
【請求項２】
前記固定具は、本体部と、前記本体部から延出し、弾性変形可能な弾性部とを有し、
使用する際には、前記弾性部を変形させて前記固定具を固定体に取り付ける請求項１に記載の物品ホルダー。
【請求項３】
前記第１支持部が凸状に形成される一方、前記第１係合部が凹状に形成され、
前記第２支持部が凸状に形成される一方、前記第２係合部が凹状に形成され、
前記第１係合部の形状と前記第２係合部の形状とが異なり、
前記第１支持部の形状と前記第２支持部の形状とが異なる請求項１または２に記載の物品ホルダー。
【請求項４】
開蓋状態において、前記第２支持部が前記固定具の第３係合部に係合し、
係合した前記第２支持部および前記第３係合部の両側を覆うガード部材を前記収容ケースの外周面に形成してある請求項１〜３のいずれかに記載の物品ホルダー。
【請求項５】
前記収容ケースは、第１収容ケース部分と第２収容ケース部分と前記第１収容ケース部分および前記第２収容ケース部分との間に位置するスライド機構とを有し、
閉蓋状態では、前記スライド機構によって、前記第１収容ケース部分の内部に、前記第２収容ケース部分の一部を入れて上下方向の長さ寸法を小さくする一方、
開蓋状態では、前記スライド機構によって、前記第１収容ケース部分の内部から前記第２収容ケース部分の一部を出して前記上下方向の長さ寸法を大きくする請求項１〜４のいずれかに記載の物品ホルダー。
【請求項６】
前記蓋体は、前記底壁から立ち上がる内壁部を前記周壁部の内方に有する態様で円筒状に形成してあり、
前記内壁部の両端部分と、前記第２係合部の周縁部分とが径方向において重なる請求項３に記載の物品ホルダー。
【発明の詳細な説明】
【技術分野】
【０００１】
本発明は、例えば、ドリンクホルダー等の物品ホルダーに関する。
【背景技術】
【０００２】
従来、収容状態と使用状態とに変形可能なドリンクホルダーは公知である。例えば、特許文献１に開示されている発明は、車両の内部で使用するドリンクホルダーであって、このドリンクホルダーは、シートバックの背面に取り付けた取付部と、取付部に対して回動自在に取り付けられたテーブルとを有している。
【０００３】
テーブルには、２つの大きさの異なる開口が形成され、それらの開口には、飲料が入ったペットボトルをそれぞれ入れることが可能である。
【０００４】
また、取付部は、ヒンジを介してシートバックに取り付けてある。ヒンジは、貫通孔を有し、その貫通孔に先端を通したネジを、シートバックに形成されたネジ孔に螺合することによってヒンジをシートバックに取り付けてある。
【先行技術文献】
【特許文献】
【０００５】
【特許文献１】特開２０１７−１０５３０２号公報
【発明の概要】
【発明が解決しようとする課題】
【０００６】
特許文献１に開示されているドリンクホルダーは、車両の内部で継続的に使用することを前提とし、シートバックにネジを介して取り付けられているため、仮に、このドリンクホルダーを携帯する際には、例えば、ネジをガムテープ等によってテーブルに貼り付ければならず、手間がかかるとともに、ネジ（部品）が紛失するおそれがあった。
【０００７】
本発明は、収容状態と使用状態とに変更する際に手間がかからず、部品が紛失するおそれを減少できる物品ホルダーを提供することを目的とする。
【課題を解決するための手段】
【０００８】
前記課題を解決するため、本発明は、収容ケースと、蓋体と、前記収容ケースを固定体に固定する固定具とを有する物品ホルダーを前提とする。
【０００９】
本発明に係る物品ホルダーは、前記物品ホルダーにおいて、前記収容ケースは、外周面に位置する前記固定具を支持するための第１支持部と、前記蓋体を支持するための第２支持部とを有し、前記蓋体は、底壁と、前記底壁の周縁から延出する周壁部とを有し、閉蓋状態において、前記収容ケースの内部に前記固定具が収容され、前記蓋体の前記周壁部に形成された第１係合部および第２係合部と前記第１支持部および前記第２支持部とがそれぞれ互いに係合され、開蓋状態において、前記蓋体を上下に反転させた状態で前記第２係合部を前記第２支持部に係合させることによって、前記蓋体には前記周壁部に囲まれた物品載置部が画成されることを特徴とする。
【発明の効果】
【００１０】
本発明に係る物品ホルダーによれば、閉蓋状態において、収容ケースの内部に固定具が収容され、蓋体の周壁部に形成された第１係合部および第２係合部と第１支持部および前記第２支持部とがそれぞれ互いに係合されるため、部品が紛失するおそれを減少することができる。また、開蓋状態（使用状態）から閉蓋状態（収容状態）に変更するとき、ネジ等の部品をガムテープでテーブル等に貼り付ける必要もないため、状態を変更する際に手間がかかることもない。
【図面の簡単な説明】
【００１１】
図面は、本開示に係る本発明の特定の実施の形態を示し、発明の不可欠な構成ばかりでなく、選択的及び好ましい実施の形態を含む。
【図１】本発明の第１実施形態に係る物品ホルダーの一例であるドリンクホルダーの分解斜視図。
【図２】物品ホルダーの収容ケースの平面図。
【図３】第１収容ケース部の内部に第２収容ケースの一部を入れた状態における図２の矢視ＩＩＩ−ＩＩＩ線断面図。
【図４】第１収容ケース部の内部から第２収容ケースの一部を出した状態における図２の矢視ＩＶ−ＩＶ線断面図。
【図５】蓋体の平面図。
【図６】物品ホルダーの側面図。
【図７】収容ケースに固定具を取り付けた状態のドリンクホルダーにおける図６の矢視ＶＩＩ−ＶＩＩ線断面図。
【図８】図５の矢視ＶＩＩＩにおける部分拡大図。
【図９】収容ケースの内部に固定具を収容した状態の斜視図。
【図１０】閉蓋状態（収容状態）のドリンクホルダーの斜視図。
【図１１】開蓋状態（使用状態）のドリンクホルダーの斜視図。
【図１２】第２実施形態のドリンクホルダーにおける図１０と同様の斜視図。
【図１３】補助蓋体の斜視図。
【発明を実施するための形態】
【００１２】
添付の図面を参照し、本発明に係る物品ホルダーの詳細を説明すると、以下のとおりである。また、以下の実施形態は、本発明の欠くことのできない要件を含む他に、選択的に採用することのできる要件及び適宜に組み合わせることのできる要件を含んでいる。
【００１３】
＜第１実施形態＞
第１実施形態のドリンクホルダー１０を図１に示す。ドリンクホルダー（物品ホルダー）１０は、収容ケース２０と、蓋体３０と、固定具４０とを有している。
【００１４】
収容ケース２０は、図１〜図３に示すように、例えば、第１収容ケース部分２１と、第２収容ケース部分２２とを有している。第１収容ケース部分２１および第２収容ケース部分２２それぞれは、例えば、アクリロニトリル等の合成樹脂によって円筒状に形成してある。
【００１５】
第１収容ケース部分２１の内部に第２収容ケース部分２２を収容することができるように、第１収容ケース部分２１の径方向Ｘの寸法は、第２収容ケース部分２２の径方向Ｘの寸法よりも大きく（図２参照）、かつ第１収容ケース部分２１の上下方向Ｚの寸法は、第２収容ケース部分２２の上下方向Ｚの寸法よりも大きい（図３参照）。第１収容ケース部分２１は、上下方向Ｚにおいて、径方向Ｘの寸法が同一となるように円筒状に形成してあり、上端には開口２１ａが位置している。
【００１６】
第２収容ケース部分２２は、上下方向Ｚにおいて径方向Ｘの寸法が同一である本体部２２ａと、本体部２２ａの下端に位置する底部２２ｂとを有している。底部２２ｂは、中央に第２収容ケース部分２２を上下方向Ｚに貫通する貫通孔２２ｃを有している。また、底部２２ｂは、本体部２２ａに隣接し、底部２２ｂの最も上方に位置する部分の径方向Ｘの寸法が最も大きく、下方へ行くに従って径方向Ｘの寸法が徐々に小さくなるように形成してある。
【００１７】
第２収容ケース部分２２は、内部に飲料を保持できる紙コップ（第１容器）９０の底９０ａに接触する接触部２２ｄを底部２２ｂに有している（図４参照）。接触部２２ｄの上端は水平面を有している。接触部２２ｄは、周方向Ｒに沿って等間隔となる態様で底部２２ｂに３つ配置してあり、底部２２ｂの内周面から突出するように形成してある。
【００１８】
第１収容ケース部分２１と第２収容ケース部分２２との間には、スライド機構５０を設けてある。スライド機構５０は、凹状溝部５１と、凹状溝部５１に係合する突出部５２とで構成してある（図３参照）。このスライド機構５０では、周方向Ｒに沿って等間隔となる態様で収容ケース２０に３つ配置してあり、例えば、第１収容ケース部分２１の内周面に凹状溝部５１を配置してある一方、第２収容ケース部分２２の外周面に突出部５２を配置してある。
【００１９】
凹状溝部５１は、周方向Ｒへ延びる第１溝部分５１ａと、上下方向Ｚへ延びる第２溝部分５１ｂとで構成され、第２溝部分５１ｂの上端と、第１溝部分５１ａの周方向Ｒの一端とが交差している（図４参照）。突出部５２は、第１収容ケース部分２１の外周面から突出するように形成してある。
【００２０】
スライド機構５０は、図３に示すように、突出部５２と第１溝部分５１ａとが係合している状態では、第１収容ケース部分２１に対して第２収容ケース部分２２を周方向Ｒへ旋回させることが可能である。そして、第１溝部分５１ａの周方向Ｒの他端に突出部５２を接触させると、第１収容ケース部分２１に対する第２収容ケース部分２２の周方向Ｒへの旋回が規制される。一方、第１溝部分５１ａの周方向Ｒの一端に突出部５２を接触させると、突出部５２は、第２溝部分５１ｂに入り、突出部５２と第２溝部分５１ｂとが係合した状態では、第１収容ケース部分２１に対して第２収容ケース部分２２を下方へ移動させることが可能である。そして、第２溝部分５１ｂの下端に突出部５２を接触させると、第１収容ケース部分２１に対する第２収容ケース部分２２の下方向への移動が規制される。この状態から、反対の操作をすれば、第１収容ケース部分２１に対して第２収容ケース部分２２を上方向へ移動させ、その後、第１収容ケース部分２１を第２収容ケース部分２２に対して周方向Ｒへ旋回させることができる。また、突出部５２と第１溝部分５１ａとが係合している状態において、第１収容ケース部分２１に対して第２収容ケース部分２２を上方へ移動させれば、第１収容ケース部分２１と第２収容ケース部分２２とを分離させることができる。
【００２１】
第１収容ケース部分２１の外周面における肉厚部分には、蓋体３０を支持するための第１支持部２３を設けてある（図１参照）。第１支持部２３は、図８に示すように、第１収容ケース部分２１の外周面に隣接する基端部２３ａと、基端部２３ａから径外方向へ延出するとともに、互いに離隔する方向へ延びる一対の先端部２３ｂ，２３ｃとを有し、先端部２３ｂ，２３ｃの周方向Ｒの寸法が、基端部２３ａの周方向Ｒの寸法よりも大きくなるように形成してあって、第１収容ケース部分２１の外周面と、先端部２３ｂ，２３ｃとの間には、上下方向Ｚへ溝状に延びる第３空間Ｓ３が位置している（図２参照）。第１支持部２３は、上端縁から、上下方向Ｚの途中まで形成してある。
【００２２】
第１収容ケース部分２１の外周面には、固定具４０を支持するための第２支持部２４を設けてある。第２支持部２４は、第１収容ケース部分２１の上端から径外方向へ延出する第１延出部分２４ａと、第１延出部分２４ａの先端部から下方へ延出する第２延出部分２４ｂとを有し、第１延出部分２４ａの下方において、第１収容ケース部分２１の周面と第２延出部分２４ｂとの間には第１空間Ｓ１が形成されている（図７参照）。
【００２３】
第１収容ケース部分２１の外周面には、係合した第２支持部２４、および固定具４０の第３係合部４３の両側を覆う一対のガード部材２５ａ，２５ｂを形成してある。ガード部材２５ａ，２５ｂは、上下方向Ｙへ延びるように直状に形成してあって、第２支持部２４の両側に間隔をあけて配置してある。
【００２４】
蓋体３０は、図１および図５に示すように、円盤状の底壁３１と、底壁３１の周縁から立ち上がる（延出する）周壁部３２と、周壁部３２の径方向Ｘの内側に位置し底壁３１から立ち上がる内壁部３３とを有し、例えば、アクリロニトリル等の合成樹脂によって円筒状に形成してある。蓋体３０は、収容ケース２０の開口２１ａを覆うように、周壁部３２の内径が、第１収容ケース部分２１の外径よりも大きい。
【００２５】
蓋体３０の周壁部３２は、第１の切欠である第１係合部３４と、第２の切欠である第２係合部３５とを有している。第１係合部３４の径方向Ｘの寸法と、第２係合部３５の径方向Ｘの寸法は互いに異なり、例えば、第２係合部３５の径方向Ｘの寸法よりも第１係合部３４の径方向Ｘの寸法が大きい。
【００２６】
第１係合部３４は、周壁部３２に位置する本体部分３４ａと、本体部分３４ａから底壁３１の一部にまで延出する延出部分３４ｂを有している。第２係合部３５は、周壁部３２のみに形成してあり、底壁３１の一部にまで延出する延出部を有していない。よって、第１係合部３４の形状と、第２係合部３５の形状とが互いに異なる。
【００２７】
閉蓋状態においては、図１０に示すように、第１係合部３４と、第１収容ケース部分２１の第１支持部２３に係合する。より詳細には、本体部分３４ａと先端部２３ｂ，２３ｃとが係合し、延出部分３４ｂと基端部２３ａとが係合する。一方、第２係合部３５は、第２支持部２４およびガード部分２５ａ，２５ｂに係合する。
【００２８】
この実施形態では、第１支持部２３を凸状に形成してある一方、第１係合部３４を凹状に形成してあり、第２支持部２４を凸状に形成してある一方、第２係合部３５を凹状に形成してある。
【００２９】
開蓋状態においては、図１１に示すように、第１係合部３４と、第１収容ケース部分２１の第１支持部２３に係合する。
【００３０】
蓋体３０は、径方向Ｘの外方から内方を視ると、内壁部３３の周方向Ｒの両端部３３ａ，３３ｂが、周壁部３２の第２係合部３５における径方向Ｘの周縁部分の背後に位置し（図５参照）、径方向Ｘにおいて、内壁部３３の径方向Ｘの両端部３３ａ，３３ｂと、周壁部３２の第２の切欠である第２係合部３５における径方向Ｘの周縁部分３５ａ，３５ｂとが重なっている。
【００３１】
固定具４０は、図６および図７に示すように、例えば、アクリロニトリル等の合成樹脂によって、本体部４１と、本体部４１から延出し、弾性変形可能な一対の弾性部４２ａ，４２ｂとを有するように形成してある。本体部４１は、例えば、上下方向Ｚへ延びるように形成してある。一対の弾性部４２ａ，４２ｂは、本体部４１の上下方向Ｚの両端からそれぞれ円弧状に延出する態様で形成してある。
【００３２】
一対の弾性部４２ａ，４２ｂを拡径および縮径させることによって、例えば、野球場の席の下部のパイプ（固定体）に、ドリンクホルダー１０を固定することができる。
【００３３】
固定具４０には、図７に示すように、開蓋状態において、第２支持部２４と係合する第３係合部４３を形成してある。第３係合部４３は、上下方向Ｚに対する横断面において、本体部４１から互いに対向し、かつ並行するように突出する一対の第１部分４３ａ，４３ｂと、第１部分４３ａ，４３ｂの先端から互いに近接するように延びる第２部分４３ｃ，４３ｄとを有し、第１部分４３ａ，４３ｂと第２部分４３ｃ，４３ｄとによって形成される第２空間Ｓ２に第２延出部分２４ｂが係合できるように形成してある。
【００３４】
このようなドリンクホルダー１０は、収容ケース２０と、蓋体３０と、固定具４０とを互いに分離させた状態において、図９に示すように、第２収容ケース部分２２の内部に固定具４０を入れた後、第１収容ケース部分２１の第１支持部２３と蓋体３０の第１係合部３４とを係合させるとともに、第１収容ケース部分２１の第２支持部２４と蓋体３０の第２係合部３５とを係合させれば、収容ケース２０に対して蓋体３０を閉蓋状態にすることができる。この状態では、収容ケース２０の内部に固定具４０が収容され、蓋体３０の周壁部３２に形成された第１係合部３４および第２係合部３５と第１支持部２３および第２支持部２４とがそれぞれ互いに係合されるため、固定具（部品）４０が紛失するおそれを減少することができる。加えて、固定具４０の弾性部４２ａ，４２ｂの径方向の寸法が、第２収容ケース部分２１の貫通孔２２ｃの径方向の寸法よりも大きいため、ケース２０の内部から固定具４０が抜け落ちることはない。
【００３５】
また、上記と反対の操作を行えば、収容ケース２０と、蓋体３０と、固定具４０とを互いに分離させることができる。また、閉蓋状態から、収容ケース２０に対して蓋体３０を上方へ移動させて、収容ケース２０と蓋体３０とを分離させた後、蓋体３０の上下を反転させてから、第１収容ケース部分２１の第１支持部２３と蓋体３０の第１係合部３４とを係合させ、開蓋状態にすることができる。その後、収容ケース２０の内部の固定具４０を取り出し、収容ケース２０の第２支持部２４と、固定具４０の第３係合部４３とを係合させ、例えば、野球場の席の下部にある不図示のパイプ（固定体）に、固定具４０の一対の弾性部４２ａ，４２ｂを拡径および縮径させることによって、ドリンクホルダー１０を固定することができる。
【００３６】
ドリンクホルダー１０をパイプに固定した状態では、収容ケース２０の内部空間に、紙コップまたはペットボトル等の飲料入り包装容器を入れることができるとともに、蓋体３０には、底壁３１と周壁部３２とによって物品載置部３９が画成されるため、この物品載置部３９に、例えば、スナック菓子などのおつまみを入れることができる。使用後、上記操作と逆の操作を行えば、閉蓋状態にすることができる。
【００３７】
このドリンクホルダー１０では、開蓋状態（使用状態）から閉蓋状態（収容状態）に変更するとき、収容ケース２０と蓋体３０とによって画成される空間に、固定具４０を入れることができるため、固定具（部品）４０をガムテープ等の粘着テープで収容ケース２０に貼り付ける必要もなく、これによって状態を変更する際に手間がかかることもない。
【００３８】
加えて、収容ケース２０を円筒状に形成してあり、蓋体３０を円筒状に形成してあるため、鞄から閉蓋状態のドリンクホルダー１０を出すとき、鞄の開口の周縁にドリンクホルダー１０が引っ掛かることを防止することができる。
【００３９】
さらに、収容ケース２０と、蓋体３０と、固定具４０とを分離することができるとともに、収容ケース２０における第１収容ケース部分２１と第２収容ケース部分２２とを分離することができるため、洗浄が容易である。
【００４０】
加えて、第１係合部３４の形状と第２係合部３５の形状とが異なり、第１支持部２３の形状と第２支持部２４の形状とが異なるため、取り付ける位置を誤認することがない。
【００４１】
さらに、係合した第２支持部２４および第２係合部３５の両側を覆うガード部材２５ａ，２５ｂを収容ケース２０の外周面に形成してあるため、開蓋状態で、異物が第２支持部２４または第３係合部４３に当たるのを防止し、これらが損傷するのを防止することができる。
【００４２】
加えて、収容ケース２０は、第１収容ケース部分２１と第２収容ケース部分２２と第１収容ケース部分２１および第２収容ケース部分２２の間に位置するスライド機構５０とを有し、閉蓋状態では、スライド機構５０によって、第１収容ケース部分２１の内部に、第２収容ケース部分２２の一部を入れて上下方向Ｙの長さ寸法を小さくする一方、開蓋状態では、スライド機構５０によって、第１収容ケース部分２１の内部から第２収容ケース部分２２の一部を出して上下方向Ｙの長さ寸法を大きくすることができる。よって、閉蓋状態では、収容ケース２０をコンパクトにして運搬を容易にする一方、開蓋状態では、収容ケース２０を大きくして大型の容器を収容することができる。
【００４３】
さらに、蓋体３０は、底壁３１から立ち上がる内壁部３３を周壁部３２の内方に有する態様で円筒状に形成してあり、内壁部３３の両端部分３３ａ，３３ｂと、第２係合部３５の周縁部分３５ａ，３５ｂとが径方向Ｘにおいて重なる。このため、スナック菓子等の小さな物品が、第２の切欠である第２係合部３５を介して物品載置部３９から落ちるのを防止することができる。また、径方向Ｘにおいて、周壁部３２と内壁部３３との位置がずれ、周壁部３２と内壁部３３との間には、空間が形成されているため、スナック菓子の小片をこの間の空間から取り出すことができる。さらに、閉蓋状態では、周壁部３２と内壁部３３との間で、第１収容ケース部分２１および第２収容ケース部分２２を挟持でき、閉蓋状態におけるドリンクホルダー１０の運搬時、これらがガタつくのを防止することができる。
【００４４】
加えて、蓋体３０の上下方向Ｙにおいて、底壁３１からの周壁部３２の突出長さが、底壁３１から内壁部３３の突出長さよりも大きい。このため、収容ケース２０に対して蓋体３０を閉じるとき、先ず、周壁部３２の先端部分と、第１収容ケース部分２１の先端部分とが接触する一方、内壁部３３の先端部分と、第２収容ケース部分２２の先端部分とが接触しないため、閉蓋状態への移行をスムーズに行うことができる。
【００４５】
＜第２実施形態＞
第２実施形態のドリンクホルダー１０を図１２および図１３に示す。本実施形態に係るドリンクホルダー１０の基本構成は、第１実施形態のドリンクホルダー１０と同様であるので、同一の構成には同一の符号を付して説明を省略し、相違する点についてのみ以下に説明する。
【００４６】
本実施形態のドリンクホルダー１０は、図１１および図１２に示すように、収容ケース２０、蓋体３０および固定具４０の他に、補助蓋体６０を有している。
【００４７】
第１収容ケース部分２１の外面には、補助蓋体６０を支持するための第３支持部２９を設けてある。
【００４８】
補助蓋体６０は、円盤状の底壁６１と、底壁６１の周縁から立ち上がる周壁部６２とを有している。
【００４９】
周壁部６２は、開蓋状態において、第３支持部２９に係合する第４係合部６２ａを有している。また、周壁部６２は、閉蓋状態において、第１支持部２３に係合する第５係合部６２ｂと、第２支持部２４およびガード部材２５ａ，２５ｂに係合する第６係合部６２ｃとを有している。また、この状態では、第３支持部２９に係合する第４係合部６２ａが係合し、このドリンクホルダー１０では、開蓋状態において、底壁６１と周壁部６２とで画成する物品載置部６９に物品を載置することができる。
【００５０】
なお、上述したドリンクホルダー１０の収容ケース２０は、第１収容ケース部分２１と第２収容ケース部分２２とを有し、２つの部品によって構成していたが、本発明はこれに限られず、１つの部品によって収容ケース２０を構成してもよいし、３つ以上の部品によって構成してもよい。
【００５１】
また、上述した実施形態には、第１支持部２３を凸状に形成してある一方、第１係合部３４を凹状に形成してあり、第２支持部２４を凸状に形成してある一方、第２係合部３５を凹状に形成してあるドリンクホルダー１０で説明した。しかし、この発明はそれに限られず、第１支持部２３を凹状に形成し、第１係合部３４を凸状に形成し、第２支持部２４を凹状に形成し、第２係合部３５を凸状に形成してもよい。
【００５２】
さらに、上述した実施形態には、第１収容ケース部分２１の内周面に凹状溝部５１を配置してある一方、第２収容ケース部分２２の外周面に突出部５２を配置してあるスライド機構５０を説明した。しかし、この発明はそれに限られず、スライド機構５０は、第１収容ケース部分２１の内周面に突出部を配置し、第２収容ケース部分２２の外周面に凹状溝を配置してもよい。
【００５３】
なお、上述では、収容ケース２０の内部空間に、飲料の包装容器を入れ、蓋体３０の物品載置部３９，６９におつまみを入れる例を説明したが、この発明は、それに限られない。例えば、収容ケース２０の内部空間に携帯電話を入れ、蓋体３０の物品載置部３９，６９に時計・小銭を入れることもできる。また、収容ケースおよび蓋体を中空の直方体状に形成すれば、食品を収容する食品ホルダーとして使用することができる。また、工事現場で用い、収容ケース２０の内部空間にボルトを入れ、蓋体３０の物品載置部３９，６９にボルトを入れることもできる。
【００５４】
これまでに説明した本発明は、少なくとも以下のように整理することができる。
収容ケース２０と、蓋体３０と、収容ケース２０を固定体に固定する固定具４０とを有するドリンクホルダー１０において、収容ケース２０は、蓋体３０を支持するための第１支持部２３と、固定具４０を支持するための第２支持部２４とを有し、蓋体３０は、底壁３１と、底壁３１の周縁から延出する周壁部３２とを有し、閉蓋状態において、収容ケース２０の内部に固定具４０が収容され、蓋体３０の周壁部３２に形成された第１係合部３４および第２係合部３５と第１支持部２３および第２支持部２４とがそれぞれ互いに係合され、開蓋状態において、蓋体３０を上下に反転させた状態で第１係合部３４を第１支持部２３に係合させることによって、蓋体３０には周壁部３２に囲まれた物品載置部３９が画成される。
【００５５】
また、本発明には、少なくとも以下の実施態様がある。
（１）固定具４０は、本体部４１と、本体部４１から延出し、弾性変形可能な弾性部４２ａ，４２ｂとを有し、使用する際には、弾性部４２ａ，４２ｂを変形させて固定具４０を固定体に取り付ける。
（２）第１支持部２３が凸状に形成される一方、第１係合部３４が凹状に形成され、第２支持部２４が凸状に形成される一方、第２係合部３５が凹状に形成され、第１係合部３４の形状と第２係合部３５の形状とが異なり、第１支持部２３の形状と第２支持部２４の形状とが異なる。
（３）開蓋状態において、第２支持部２４が固定具４０の第３係合部４３に係合し、係合した第２支持部２４および第３係合部４３の両側を覆うガード部材２５ａ，２５ｂを収容ケース２０の外周面に形成してある。
（４）収容ケース２０は、第１収容ケース部分２１と第２収容ケース部分２２と第１収容ケース部分２１および第２収容ケース部分２２との間に位置するスライド機構５０とを有し、閉蓋状態では、スライド機構５０によって、第１収容ケース部分２１の内部に、第２収容ケース部分２２の一部を入れて上下方向Ｙの長さ寸法を小さくする一方、開蓋状態では、スライド機構５０によって、第１収容ケース部分２１の内部から第２収容ケース部分２２の一部を出して上下方向Ｙの長さ寸法を大きくする。
（５）蓋体３０は、底壁３１から立ち上がる内壁部３３を周壁部３２の内方に有する態様で円筒状に形成してあり、内壁部３３の両端部分３３ａ，３３ｂと、第２係合部３５の周縁部分とが径方向Ｘにおいて重なる。
【符号の説明】
【００５６】
１０      ドリンクホルダー（物品ホルダー）
２０      収容ケース
２１      第１収容ケース部分
２２      第２収容ケース部分
２３      第１支持部
２４      第２支持部
２５ａ    ガード部材
２５ｂ    ガード部材
３０      蓋体
３１      底壁
３２      周壁部
３３      内壁部
３４      第１係合部
３５      第２係合部
３９      物品載置部
４０      固定具
４１      本体部
４２ａ    弾性部
４２ｂ    弾性部
５０      スライド機構
Ｙ        上下方向
【図１】
2020006989.tif 000003
【図２】
2020006989.tif 000004
【図３】
2020006989.tif 000005
【図４】
2020006989.tif 000006
【図５】
2020006989.tif 000007
【図６】
2020006989.tif 000008
【図７】
2020006989.tif 000009
【図８】
2020006989.tif 000010
【図９】
2020006989.tif 000011
【図１０】
2020006989.tif 000012
【図１１】
2020006989.tif 000013
【図１２】
2020006989.tif 000014
【図１３】
2020006989.tif 000015